(57)【要約】【課題】電線束をチューブ内に容易に挿入し得るとともに、電線束を直線状に容易に保持して配索し得るコルゲートチューブを提供する。【解決手段】柔軟性を備えた合成樹脂で筒状に成型したコルゲートチューブの長手方向にスリットを形成したコルゲートチューブにおいて、コルゲートチューブ１１の外周面に、該コルゲートチューブの長手方向に沿って複数条のリブ１３を設けた。【選択図】図２
2018059611.tif 000002
【特許請求の範囲】
【請求項１】
柔軟性を備えた合成樹脂で筒状に成型したコルゲートチューブの長手方向にスリットを形成したコルゲートチューブにおいて、
前記コルゲートチューブの外周面に、該コルゲートチューブの長手方向に沿って複数条のリブを設けたことを特徴とするコルゲートチューブ。
【請求項２】
請求項１に記載のコルゲートチューブにおいて、
前記スリットの一側に、前記コルゲートチューブの内周面に沿って内側へ挿入可能とした調整片を設けたことを特徴とするコルゲートチューブ。
【請求項３】
請求項２に記載のコルゲートチューブにおいて、
前記調整片を除いて、前記コルゲートチューブの外周面に前記リブを連続して多数条形成したことを特徴とするコルゲートチューブ。
【請求項４】
請求項１乃至３のいずれか１項に記載のコルゲートチューブにおいて、
前記リブの外周面を、周方向に矩形としたことを特徴とするコルゲートチューブ。
【請求項５】
請求項１乃至４のいずれか１項に記載のコルゲートチューブにおいて、
高密度ポリエチレンで成型したことを特徴とするコルゲートチューブ。
【発明の詳細な説明】
【技術分野】
【０００１】
本発明は、自動車に配索されるワイヤーハーネスを被覆するコルゲートチューブに関するものである。
【背景技術】
【０００２】
従来、自動車に搭載された機器を電気的に接続するために車室内外に配設されるワイヤーハーネスは、車体との摩擦や機械的な衝撃あるいは浸水による損傷を防止するために、コルゲートチューブで被覆されることがある。
【０００３】
図５は従来のコルゲートチューブの一例を示す。コルゲートチューブ１は、例えば高密度ポリエチレンで筒状に成型されるとともに、外周面には長手方向に連続する凹凸により蛇腹状に形成されて、屈曲性が確保されている。また、長手方向にスリット２が形成され、このスリット２を押しひろげてワイヤーハーネスを構成する電線束３がチューブ内に挿入される。そして、コルゲートチューブ１の端部から電線束３にかけてテープ４が巻着されて、コルゲートチューブが電線束３に固定されている。
【０００４】
図６は、コルゲートチューブと同様にワイヤーハーネスを被覆するために使用されるＰＶＣチューブの一例を示す。ＰＶＣチューブ５は、ＰＶＣ樹脂で筒状に形成されるとともに、長手方向にスリット６が形成されている。そして、このスリット６を押しひろげて電線束３がチューブ内に挿入され、ＰＶＣチューブ５の端部から電線束３にかけてテープ４が巻着されて、ＰＶＣチューブ５が電線束３に固定されている。
【０００５】
特許文献１には、曲げ方向と角度を規制するリブを備えたコルゲートチューブが開示されている。
【先行技術文献】
【特許文献】
【０００６】
【特許文献１】特開２０１４−１７３６９４号公報
【発明の概要】
【発明が解決しようとする課題】
【０００７】
図５に示すコルゲートチューブ１は、柔軟性があるので、電線束３をスリット２からチューブ内に容易に挿入可能である。しかし、柔軟性がある故に、コルゲートチューブ１で被覆したワイヤーハーネスを直線状に保持して配索することが難しい。また、コルゲートチューブ１の内径を、被覆しようとする電線束３の直径にほぼ等しい径に設定すると、電線束３の直径が増大した場合に、スリット２が開いてしまうため、十分な被覆効果を確保することが困難となる。
【０００８】
図６に示すＰＶＣチューブ５は、柔軟性が低いので、ＰＶＣチューブ５で被覆したワイヤーハーネスを直線状に保持して配索することは容易である。しかし、柔軟性が低い故に、スリット６を開いて電線束３をチューブ内に挿入することが容易ではない。また、ＰＶＣチューブ５の内径を、被覆しようとする電線束３の直径にほぼ等しい径に設定すると、電線束３の直径が増大した場合に、スリット２が開いてしまう点は、コルゲートチューブ１と同様である。
【０００９】
この発明はこのような事情に鑑みてなされたものであり、その目的は電線束をチューブ内に容易に挿入し得るとともに、電線束を直線状に容易に保持して配索し得るコルゲートチューブを提供することにある。
【課題を解決するための手段】
【００１０】
上記課題を解決するコルゲートチューブは、柔軟性を備えた合成樹脂で筒状に成型したコルゲートチューブの長手方向にスリットを形成したコルゲートチューブにおいて、前記コルゲートチューブの外周面に、該コルゲートチューブの長手方向に沿って複数条のリブを設けたことを特徴とする。
【００１１】
この構成により、コルゲートチューブの直進性が向上する。
また、上記のコルゲートチューブにおいて、前記スリットの一側に、前記コルゲートチューブの内周面に沿って内側へ挿入可能とした調整片を設けることが好ましい。
【００１２】
この構成により、調整片をコルゲートチューブの内側に挿入するか否かを選択することにより、コルゲートチューブ内に挿入される電線束の直径の変化に対応可能となる。
また、上記のコルゲートチューブにおいて、前記調整片を除いて、前記コルゲートチューブの外周面に前記リブを連続して多数条形成することが好ましい。
【００１３】
この構成により、多数条のリブによりコルゲートチューブの直進性が確保される。
また、上記のコルゲートチューブにおいて、前記リブの外周面を、周方向に矩形とすることが好ましい。
【００１４】
この構成により、周方向に矩形となる多数条のリブでコルゲートチューブの直進性が確保される。
また、上記のコルゲートチューブにおいて、高密度ポリエチレンで成型することが好ましい。
【００１５】
この構成により、スリットから電線束をコルゲートチューブ内に挿入するための柔軟性が確保される。
【発明の効果】
【００１６】
本発明のコルゲートチューブによれば、電線束をチューブ内に容易に挿入し得るとともに、電線束を直線状に容易に保持して配索することができる。
【図面の簡単な説明】
【００１７】
【図１】一実施形態のコルゲートチューブを示す正面図。
【図２】一実施形態のコルゲートチューブを示す側面図。
【図３】電線束を挿入したコルゲートチューブを示す側面図。
【図４】電線束を挿入したコルゲートチューブを示す側面図。
【図５】従来例を示す正面図。
【図６】従来例を示す正面図。
【発明を実施するための形態】
【００１８】
以下、コルゲートチューブの一実施形態を図面に従って説明する。
図１及び図２に示すコルゲートチューブ１１は、高密度ポリエチレン等の柔軟性を備えた合成樹脂で筒状に形成され、長手方向にスリット１２が形成されている。そして、スリット１２からチューブ内に電線束３を挿入可能となっている。
【００１９】
コルゲートチューブ１１の外周面には、周方向にほぼ矩形の凸部が連続するように形成され、その凸部がコルゲートチューブ１１の長手方向に沿って延びるリブ１３として多数設けられている。従って、コルゲートチューブ１１は、リブ１３により屈曲し難く、直進性が確保されるようになっている。
【００２０】
また、スリット１２の一方には、外周面にリブ１３が形成されない薄肉状の調整片１４が形成されている。調整片１４は、コルゲートチューブ１１の内周面に沿って、コルゲートチューブ１１の内側に挿入可能となっている。
【００２１】
次に、上記のように構成されたコルゲートチューブ１１の作用を説明する。
電線束３をコルゲートチューブ１１内に挿入するには、スリット１２を押しひろげて電線束３をチューブ内に挿入する。
【００２２】
図３に示すように、電線束３の直径がコルゲートチューブ１１の内径より小さい場合には、調整片１４をチューブの内周面に沿って内側へ挿入する。すると、電線束３がコルゲートチューブ１１内でその内周面にほぼ密接する状態で保持される。
【００２３】
また、図４に示すように、電線束３の直径が大きい場合には、調整片１４をコルゲートチューブ１１の周面上に位置させる。
このようにして、コルゲートチューブ１１内に電線束３を挿入し、コルゲートチューブの端部にテープを巻着すると、コルゲートチューブ１１が電線束３に固定される。
【００２４】
上記のようなコルゲートチューブ１１では、次に示す効果を得ることができる。
（１）柔軟性を有するコルゲートチューブ１１のスリット１２から電線束３をチューブ内に容易に挿入することができる。
【００２５】
（２）リブ１３によりコルゲートチューブ１１の直進性を確保することができる。従って、コルゲートチューブ１１で被覆したワイヤーハーネスを直線状に容易に保持して配索することができる。
【００２６】
（３）被覆しようとする電線束３の直径が、調整片１４をコルゲートチューブ１１の内側に挿入した状態でのコルゲートチューブ１１の内径となるように設定すれば、電線束３の直径が増大した場合にも、調整片１４をコルゲートチューブ１１の内側に挿入しないことにより、スリット１２が開かれることなく、電線束３を被覆することができる。従って、電線束３の直径の変化に追随して、電線束３を安定して被覆することができる。
【００２７】
なお、上記実施形態は以下のように変更してもよい。
・リブの外周面は、半円形状の凸面としてもよい。
【符号の説明】
【００２８】
１１…コルゲートチューブ、１２…スリット、１３…リブ、１４…調整片。
【図１】
2018059611.tif 000003
【図２】
2018059611.tif 000004
【図３】
2018059611.tif 000005
【図４】
2018059611.tif 000006
【図５】
2018059611.tif 000007
【図６】
2018059611.tif 000008